(57)【要約】【課題】櫛とブラシの必要な一方を選択して使用することができ、櫛とブラシの常備が場所を取らずに行えると共に、嵩低くなることにより携行に便利な櫛とブラシを備えた整髪具を提供する。【解決手段】握り柄となるカバー２と櫛３及びブラシ４からなり、前記カバー２に櫛３とブラシ４を、それぞれカバー２内に折り畳んだ収納状態から外部に突出させることができるように取付ける。【選択図】図１
0003106614.tif 000002
【実用新案登録請求の範囲】
【請求項１】
握り柄となるカバーと櫛及びブラシからなり、前記カバーに櫛とブラシを、それぞれカバー内に折り畳んだ収納状態から外部に突出させることができるように取付けた櫛とブラシを備えた整髪具。
【請求項２】
上記カバーが、長さ方向に沿う一つの面と一方の端部が開口する断面略Ｕ字状に形成され、上記櫛とブラシは並列状態で上記カバー内に収まるように形成され、前記櫛とブラシの一方端部を前記カバーの開放側端部に軸でそれぞれ枢着し、この軸を支点に櫛とブラシを回動させることにより、それぞれカバー内に折り畳んだ収納状態から外部に突出させることができるようになっている請求項１に記載の櫛とブラシを備えた整髪具。
【請求項３】
上記カバーの開放側端部における両側壁の対向面間に支持ブラケットを立設し、この両側壁と支持ブラケットに取付け孔を同軸心の配置で設け、上記櫛とブラシは一方端部の両面に前記孔に嵌合する軸を突設し、前記カバーの一方側壁と支持ブラケットの間に櫛の一方端部を収めて軸を一方側壁と支持ブラケットの取付け孔に枢止し、同じくカバーの他方側壁と支持ブラケットの間にブラシの一方端部を収めて軸を他方側壁と支持ブラケットの取付け孔に枢止した請求項２に記載の櫛とブラシを備えた整髪具。
【考案の詳細な説明】
【技術分野】
【０００１】
この考案は、整髪の条件に合わせて櫛とブラシを使い分けることができる整髪具に関する。
【背景技術】
【０００２】
整髪には櫛やブラシが使用されるが、櫛は髪の毛を梳いたり形状を整えるために用い、また、ブラシは髪の毛をブラッシングするために用いるものであり、このように、櫛とブラシでは整髪に対して少し用途が異なるが、整髪時には何れか若しくは両方が必要になるため、整髪のための設備である洗面場や鏡台等には常時櫛とブラシは常備しておかなければならない。
【０００３】
また、外出時や旅行時等においても、整髪したり乱れた髪を直したい場合が往々にしてあり、これに対処できるよう櫛とブラシをバッグなどに入れて携行する必要がある。
【考案の開示】
【考案が解決しようとする課題】
【０００４】
ところで、従来、櫛とブラシは全く別体になっていたので、両方を常備しておくには場所をとり、何れか一方が見つからないような事態が生じるようなことがある。
【０００５】
特に、両方をバッグなどに入れて携行する場合、櫛とブラシが別々であると嵩張ることになるので、携行に不便を感じるという問題がある。
【０００６】
そこで、この考案の課題は、櫛とブラシを一体化し、必要に応じて必要な一方を選択して使用することができ、櫛とブラシの常備が場所を取らずに行えると共に、嵩低くなることにより携行に便利な櫛とブラシを備えた整髪具を提供することにある。
【課題を解決するための手段】
【０００７】
上記のような課題を解決するため、請求項１の考案は、握り柄となるカバーと櫛及びブラシからなり、前記カバーに櫛とブラシを、それぞれカバー内に折り畳んだ収納状態から外部に突出させることができるように取付けた構成を採用したものである。
【０００８】
請求項２の考案は、請求項１の考案において、上記カバーが、長さ方向に沿う一つの面と一方の端部が開口する断面略Ｕ字状に形成され、上記櫛とブラシは並列状態で上記カバー内に収まるように形成され、前記櫛とブラシの一方端部を前記カバーの開放側端部に軸でそれぞれ枢着し、この軸を支点に櫛とブラシを回動させることにより、それぞれカバー内に折り畳んだ収納状態から外部に突出させることができるようになっている構成を採用したものである。
【０００９】
請求項３の考案は、請求項２の考案において、上記カバーの開放側端部における両側壁の対向面間に支持ブラケットを立設し、この両側壁と支持ブラケットに取付け孔を同軸心の配置で設け、上記櫛とブラシは一方端部の両面に前記孔に嵌合する軸を突設し、前記カバーの一方側壁と支持ブラケットの間に櫛の一方端部を収めて軸を一方側壁と支持ブラケットの取付け孔に枢止し、同じくカバーの他方側壁と支持ブラケットの間にブラシの一方端部を収めて軸を他方側壁と支持ブラケットの取付け孔に枢止した構成を採用したものである。
【００１０】
ここで、上記カバーは、底壁と両側壁及び他方端部の端壁を備えた形状に合成樹脂を用いて一体成形され、このカバー内の他方端部で、支持ブラケットの延長線上の位置に仕切り壁が設けられ、櫛をカバーの内部に収納した状態でその先端が一方側壁と仕切り壁の間に収まることになる。
【００１１】
また、ブラシは、カバーの内部に収納した状態でその先端が他方側壁と仕切り壁の間に収まることになる。
【考案の効果】
【００１２】
この考案によると、握り柄となるカバーに、櫛とブラシをそれぞれカバー内に折り畳んだ収納状態から外部に突出させることができるように取付けたので、櫛とブラシが一体化し、必要に応じて必要な一方を選択して使用することができ、何れか一方が見つからないような事態が生じるようなことがなく、櫛とブラシによって整髪が思うように行え、しかも、櫛とブラシの常備に場所を取らないという効果がある。
【００１３】
また、櫛とブラシをそれぞれカバー内に折り畳んだ収納状態とすれば、全体が一本の棒状になり、嵩低くなることによりバッグ等に入れた携行に便利となる。
【考案を実施するための最良の形態】
【００１４】
以下この考案の最良の実施の形態を説明する。
【００１５】
図示のように、整髪具１は、握り柄となるカバー２と櫛３及びブラシ４からなり、前記カバー２の一方端部側に櫛３とブラシ４を、それぞれカバー２内に折り畳んだ収納状態から、カバー２の長さ方向に沿って外部に延長状となるよう突出させることができるように取付けた構造になっている。
【００１６】
上記カバー２は、図２のように、弧状底壁５と対向する両側壁６、７及び他方端部の端壁８を備え、断面略Ｕ字状の横長形状に合成樹脂を用いて一体成形され、このカバー２内の一方端部に起立する支持ブラケット９と、同他方端部で支持ブラケット９の延長線上の位置に仕切り壁１０が、それぞれ一方側壁６に片寄って設けられている。
【００１７】
上記カバー２内の一方端部における両側壁６、７と支持ブラケット９には、それぞれ上部寄りの位置に貫通する取付け孔１１が同軸心の配置で設けられ、他方側壁７と支持ブラケット７の対向面には、上端縁から取付け孔１１の下方に達する凹溝１２が形成されている。
【００１８】
上記３櫛は、カバー２内の長さ方向に丁度収まる長さを有し、図４のように、カバー２の支持ブラケット９と一方側壁６の間隔に収まる厚みとなるフラットで長いコ字状の縁枠部３ａの内側に多数の櫛歯３ｂを設けて形成され、縁枠部３ａの一方端部における両面に取付け孔１１へ嵌合するための軸３ｃが突設されている。
【００１９】
上記ブラシ４は、カバー２の長さに適合する長さと、カバー２の支持ブラケット９と他方側壁７の間隔に適応する幅を有するブラシ台４ａの一面側に多数のブラシ毛体４ｂを植設して形成され、ブラシ台４ａの一方端部に直角に屈曲する二又状の取付けヒンジ４ｃが連成され、両取付けヒンジ４ｃの外面に取付け孔１１へ嵌合するための軸４ｄが突設されている。
【００２０】
上記カバー２に対して櫛３は、カバー２の一方側壁６と支持ブラケット９の間に櫛３の一方端部を収め、軸３ｃを一方側壁６と支持ブラケット９の取付け孔１１に嵌め込むことによって枢止し、カバー２に対して櫛３は軸３ｃを支点に回動自在となるよう取付けられ、カバー２側に回動させることにより、櫛歯３ｂがカバー２内に収まり、縁枠部３ａがカバー２から突出した折畳み状態となり、また、この折畳み状態から櫛３を１８０°回動させると、カバー２の長さ方向に沿って延長状に突出することになる。
【００２１】
また、上記カバー２に対してブラシ４は、カバー２の他方側壁７と支持ブラケット９の間にブラシ４の一方端部に設けた取付けヒンジ４ｃを収め、その両外面に設けた軸４ｄを他方側壁７と支持ブラケット９の取付け孔１１に嵌め込むことによって枢止し、カバー２に対してブラシ４は軸４ｄを支点に回動自在となるよう取付けられ、カバー２側に回動させることにより、ブラシ毛体４ｂがカバー２内に収まり、ブラシ台４ａがカバー２から突出した折畳み状態となり、また、この折畳み状態からブラシ４を１８０°回動させると、カバー２の長さ方向に沿って延長状に突出することになる。
【００２２】
この考案の整髪具１は、上記のような構成であり、図１はカバー２内に櫛３とブラシ４を折畳んで収納した状態を示し、カバー２内に櫛３とブラシ４が並列状態で並び、櫛３の櫛歯３ｂとブラシ４のブラシ毛体４ｂがカバー２内に収まり、全体が棒状となって嵩低くなるので携行に便利である。
【００２３】
図５（ａ）はブラシ４の使用時を示し、ブラシ４をカバー２内から１８０°回動させ、カバー２の長さ方向に沿って突出させればよく、カバー２とその内部に納まる櫛３を一体に握って柄とし、髪をブラシでブラッシングする。
【００２４】
また、図５（ｂ）は櫛３の使用時を示し、櫛３をカバー２内から１８０°回動させ、カバー２の長さ方向に沿って突出させればよく、カバー２とその内部に納まるブラシ４を一体に握って柄とし、櫛３で髪を梳けばよい。
【００２５】
上記カバー２内に収まる櫛３又はブラシ４を取出し易くするため、ブラシ台４ａの先端で櫛３に臨む側縁に指先を逃がす凹欠部１３が設けてある。
【００２６】
なお、ブラシ４をカバー２の長さ方向に沿って突出させた状態の保持は、図５（ａ）のように、カバー２の一端側で底板５の端部に立ち上がり壁１４を設け、ブラシ４をカバー２の長さ方向に沿って突出させると、取付けヒンジ４ｃの端縁が立ち上がり壁１４に当接し、これによってブラシ４がそれ以上折れ曲がらないようにしている。
【００２７】
また、櫛３の場合は、図６（ｂ）のように、カバー２の一端側で底板５の端部に厚肉突部１５を設け、櫛３をカバー２の長さ方向に沿って突出させると、縁枠部３ａの端縁が厚肉突部１５に当接することによって保持され、それ以上折れ曲がらないようにしている。
【００２８】
このように、この考案の整髪具１は、カバー２に櫛３とブラシ４を取付けたので、櫛とブラシが一体化し、整髪の条件に応じて必要な一方を選択して使用することができ、櫛とブラシによって整髪が思うように行え、しかも、折り畳んだ収納状態とすれば、全体が一本の棒状になり、嵩低くなることによりバッグ等に入れた携行に便利となる。
【図面の簡単な説明】
【００２９】
【図１】（ａ）はこの考案の整髪具を示す櫛とブラシを折畳んだ状態の平面図、（ｂ）は（ａ）の矢印ｂ−ｂに沿う縦断正面図、（ｃ）は（ａ）の矢印ｃ−ｃに沿う縦断側面図、（ｄ）は（ａ）の一方端部の縦断側面図
【図２】（ａ）はこの考案の整髪具におけるカバーを示す平面図、（ｂ）は（ａ）の矢印ｂ−ｂに沿う縦断正面図、（ｃ）は（ａ）の矢印ｃ−ｃに沿う縦断正面図、（ｄ）は（ａ）の矢印ｄ−ｄに沿う拡大した縦断側面図
【図３】（ａ）はこの考案の整髪具におけるブラシを示す平面図、（ｂ）は同正面図、（ｃ）は同一方端部の側面図、（ｄ）は同他方端部の縦断側面図、（ｅ）は同底面図
【図４】この考案の整髪具を示す分解斜視図
【図５】（ａ）はこの考案の整髪具におけるブラシの使用時の状態を示す縦断正面図、（ｂ）は同櫛の使用時の状態を示す縦断正面図
【図６】（ａ）はこの考案の整髪具における櫛の折畳み状態の縦断正面図、(ｂ)は櫛の使用時の状態を示す縦断正面図
【符号の説明】
【００３０】
１        整髪具
２        カバー
３        櫛
４        ブラシ
５        弧状底壁
６        側壁
７        側壁
８        端壁
９        支持ブラケット
１０      仕切り壁
１１      取付け孔
１２      凹溝
１３      凹欠部
１４      立ち上がり壁
１５      厚肉突部
【図１】
0003106614.tif 000003
【図２】
0003106614.tif 000004
【図３】
0003106614.tif 000005
【図４】
0003106614.tif 000006
【図５】
0003106614.tif 000007
【図６】
0003106614.tif 000008